(57)【要約】【課題】業務時間外に各拠点設備に担当者を常駐させることなく、情報配付システムにおける各拠点設備の業務時間外の消費電力を低減することを目的とする。【解決手段】配付サーバ１は、センタに設置され、配付情報が格納されると、センタから各拠点設備２のＮＡＳ２０の電源を起動するオン信号を送信し、オン信号を送信した拠点設備２のＮＡＳ２０へ向けて配付情報を転送し、配付情報を転送した拠点設備２のＮＡＳ２０へ電源を停止するオフ信号を出力する。又、拠点設備は、オン信号を受信すると、電源起動し、電源起動後に、配付情報の転送を受け付けると、受け付けた配付情報を保存し、オフ信号を受信すると、電源を停止するＮＡＳ２０と、ＮＡＳ２０内に保存された配付情報がダウンロードされる配付対象機器と、を有している。これにより、担当者を常駐させることなく、情報配付システムにおける各拠点設備の業務時間外の消費電力を低減することができる。【選択図】図１
2015156061.tif 000002
【特許請求の範囲】
【請求項１】
センタに設置され、
配付情報が登録されると、前記センタから各拠点設備のネットワークアタッチトストレージの電源を起動するオン信号を送信し、
前記オン信号を出力した拠点設備の前記ネットワークアタッチトストレージへ向けて前記配付情報を転送し、
前記配付情報を転送した拠点設備の前記ネットワークアタッチトストレージへ電源を停止するオフ信号を送信する
ことを特徴とする配付サーバ。
【請求項２】
前記拠点設備内の配付対象機器から配付情報の最新版数及び前記ネットワークアタッチトストレージの電源状態の問い合わせを受け付けると、前記拠点設備に対して前記オン信号を送信し、
前記拠点設備からダウンロード終了通知を受け付けると、前記配付サーバは、前記拠点設備に対して前記オフ信号を送信する
ことを特徴とする請求項１に記載の配付サーバ。
【請求項３】
配付情報を配付し得る拠点設備に付与された識別番号である拠点ＩＤ毎に、前記拠点ＩＤに対応した
拠点設備におけるネットワークアタッチトストレージのＩＰアドレスと、
現在の最新のＡＰ版数と、
前記ネットワークアタッチトストレージの電源状態と、
前記ネットワークアタッチトストレージから配付情報をダウンロード中の配付対象機器の台数と、
ファイル登録中状態と、
を管理する拠点情報テーブルを有する
ことを特徴とする請求項１又は２に記載の配付サーバ。
【請求項４】
電源を起動するオン信号を受信すると、電源を起動し、電源起動後に、配付情報の転送を受け付けると、受け付けた配付情報を保存し、電源を停止するオフ信号を受信すると、電源を停止するネットワークアタッチトストレージと、
前記ネットワークアタッチトストレージ内に保存された配付情報がダウンロードされる配付対象機器と、を有する
ことを特徴とする拠点設備。
【請求項５】
前記配付対象機器は、
前記配付情報の最新版数及び前記ネットワークアタッチトストレージの電源状態を問い合わせると共に、前記ネットワークアタッチトストレージの電源起動後に、前記ネットワークアタッチトストレージ内に保存された配付情報のダウンロードを受ける
ことを特徴とする請求項４に記載の拠点設備。
【請求項６】
前記配付対象機器は、
設置されている拠点設備に付与された拠点ＩＤと、
設置されている拠点設備に設置されているネットワークアタッチトストレージのＩＰアドレスと、
配付サーバのＩＰアドレスと、
現在保持しているＡＰ版数と、
を格納するクライアント情報テーブルを有する
ことを特徴とする請求項４又５に記載の拠点設備。
【請求項７】
センタに設置され、配付情報が登録されると、前記センタから各拠点設備の電源を起動するオン信号を送信し、前記オン信号を送信した拠点設備へ向けて前記配付情報を転送し、前記配付情報を転送した拠点設備へ電源を停止するオフ信号を送信する配付サーバと、
複数の拠点に設置され、前記オン信号を受信すると、電源を起動し、電源起動後に、配付された前記配付情報を受け取って保存し、前記オフ信号を受信すると、電源を停止するネットワークアタッチトストレージと、前記配付情報をダウンロードされる配付対象機器と、を有する拠点設備と、
が相互に通信回線で接続されていることを特徴とする情報配付システム。
【請求項８】
前記配付サーバは、
前記拠点設備内の配付対象機器から配付情報の最新版数及び前記ネットワークアタッチトストレージの電源状態の問い合わせを受け付けると、前記拠点設備に対して前記オン信号を送信し、
前記拠点設備からダウンロード終了通知を受け付けると、前記配付サーバは、前記拠点設備に対して前記オフ信号を送信し、
前記拠点設備は、
前記オン信号を受信したネットワークアタッチトストレージは、前記配付サーバに対して問い合わせを行った配付対象機器に対して、保存している前記配付情報をダウンロードし、
ダウンロードされた配付対象機器は、前記配付サーバに対してダウンロード終了通知を送信し、
前記オフ信号を受信したネットワークアタッチトストレージは、前記配付対象機器の電源を停止する
ことを特徴とする請求項７に記載の情報配付システム。
【請求項９】
センタから各拠点設備に対し配付情報を配付する配付処理と、
配付された前記配付情報を各拠点設備内の配付対象機器にダウンロードするダウンロード処理と、
を有することを特徴とする情報配付方法。
【請求項１０】
前記配付処理は、
配付情報をセンタ内の配付サーバに登録する第１処理と、
センタから各拠点設備の電源状態を確認して、電源オフ状態の場合は、電源オン状態となるまで電源起動の指示を行う第２処理と、
電源オン状態となったネットワークアタッチトストレージに、前記配付サーバから前記配付情報を転送する第３処理と、
前記配付サーバから前記配付情報の転送後に、センタから各拠点設備の電源停止の指示を行う第４処理と、
を有することを特徴とする請求項９に記載の情報配付方法。
【請求項１１】
前記ダウンロード処理は、
配付対象機器からセンタの配付サーバに対して最新版数を問い合わせる第５処理と、
配付対象機器からセンタの配付サーバに対してネットワークアタッチトストレージの状態を問い合わせる第６処理と、
問い合わせを行った配付対象機器のある拠点設備のネットワークアタッチトストレージの電源を起動する第７処理と、
接続数情報に１を加えると共に、前記ネットワークアタッチトストレージに格納されている配付情報を配付対象機器にダウンロードすると共に、ダウンロードされた配付対象機器のＡＰ版数に１を加える第８処理と、
ダウンロードが終了した配付対象機器からセンタに対してダウンロード終了通知を送信する第９処理と、
接続数情報から１を減じると共に、ダウンロード終了通知を送った配付対象機器のある拠点設備の電源を停止する第１０処理と、
を有することを特徴とする請求項９に記載の情報配付方法。
【請求項１２】
コンピュータに、
配付情報をセンタ内の配付サーバに登録する第１処理と、
センタから各拠点設備の電源を起動する第２処理と、
電源オンを起動する指示を受けて起動された各拠点設備内のネットワークアタッチトストレージに、前記配付サーバから前記配付情報を転送する第３処理と、
センタから各拠点設備の電源を停止する第４処理と、
配付対象機器からセンタの配付サーバに対して最新版数を問い合わせる第５処理と、
配付対象機器からセンタの配付サーバに対してネットワークアタッチトストレージの電源状態を問い合わせる第６処理と、
問い合わせを行った配付対象機器のある拠点設備のネットワークアタッチトストレージの電源を起動する第７処理と、
接続数情報に１を加えると共に、ネットワークアタッチトストレージに格納されている配付情報を配付対象機器にダウンロードすると共に、ダウンロードされた配付対象機器のＡＰ版数に１を加える第８処理と、
ダウンロードが終了した配付対象機器からセンタに対してダウンロード終了通知を送信する第９処理と、
接続数情報から１を減じると共に、ダウンロード終了通知を送信した配付対象機器のある拠点設備の電源を停止する第１０処理と、
を実行させるプログラム。
【発明の詳細な説明】
【技術分野】
【０００１】
本発明は、配付サーバ、拠点設備、情報配付システム、情報配付方法およびプログラムに係り、特に、ネットワークアタッチトストレージ（Network Attached Storage：以下「ＮＡＳ」という。）を用いて、情報配付先の拠点設備の省電力化に関する。
【背景技術】
【０００２】
センタと通信回線で接続された複数の拠点設備に対し、最新のソフトウェアや拠点固有のパラメータ等の配付情報を配付することが行われている。
【０００３】
関連する技術として、ＮＡＳを用いて効率よくメモリを管理するコンピュータシステムとそのメモリ管理方法が提案されている（例えば、特許文献１参照）。ここで、ＮＡＳとは、コンピュータネットワークに直接接続して使用するファイルサーバであり、TCP/IPネットワークに直接接続して使用する補助記憶装置であり、その実体はコントローラとハードディスクからなるファイルサービス専用のコンピュータである。
【先行技術文献】
【特許文献】
【０００４】
【特許文献１】特開２００２−１８９６３７号公報
【発明の概要】
【発明が解決しようとする課題】
【０００５】
しかしながら、従来の情報配付システムでは、業務時間外に配付情報を配付するだけのために、拠点設備の電源を常時起動していたため、業務時間外に拠点設備では無駄な電力を消費していた。又、配付情報を配付する時だけ各拠点設備の電源を起動するように各拠点設備に指示することも考えられるが、この方法では、業務時間外に各拠点設備に担当者を常駐させる必要があった。
【０００６】
本発明は、担当者を常駐させることなく、情報配付システムにおける各拠点設備の業務時間外の消費電力を低減することができる配付サーバ、拠点設備、情報配付システム、情報配付方法およびプログラムを提供することを目的とする。
【課題を解決するための手段】
【０００７】
本発明の第１の側面の配付サーバは、センタに設置され、配付情報が登録されると、前記センタから各拠点設備のＮＡＳの電源を起動するオン信号を送信し、前記オン信号を出力した拠点設備の前記ＮＡＳへ向けて前記配付情報を転送し、前記配付情報を転送した拠点設備の前記ＮＡＳへ電源を停止するオフ信号を送信することを特徴とする。
【０００８】
第２の側面の拠点設備は、電源を起動するオン信号を受信すると、電源を起動し、電源起動後に、配付情報の転送を受け付けると、受け付けた配付情報を保存し、電源を停止するオフ信号を受信すると、電源を停止するＮＡＳと、前記ＮＡＳ内に保存された配付情報がダウンロードされる配付対象機器と、を有することを特徴とする。
【０００９】
第３の側面の情報配付システムは、センタに設置され、配付情報が登録されると、前記センタから各拠点設備の電源を起動するオン信号を送信し、前記オン信号を送信した拠点設備へ向けて前記配付情報を転送し、前記配付情報を転送した拠点設備へ電源を停止するオフ信号を送信する配付サーバと、複数の拠点に設置され、前記オン信号を受信すると、電源を起動し、電源起動後に、配付された前記配付情報を受け取って保存し、前記オフ信号を受信すると、電源を停止するＮＡＳと、前記配付情報をダウンロードされる配付対象機器と、を有する拠点設備と、が相互に通信回線で接続されていることを特徴とする。
【００１０】
第４の側面の情報配付方法は、センタから各拠点設備に対し配付情報を配付する配付処理と、配付された前記配付情報を各拠点設備内の配付対象機器にダウンロードするダウンロード処理と、を有することを特徴とする。
【００１１】
第５の側面のプログラムは、コンピュータに、配付情報をセンタ内の配付サーバに登録する第１処理と、センタから各拠点設備の電源を起動する第２処理と、電源オンを起動する指示を受けて起動された各拠点設備内のＮＡＳに、前記配付サーバから前記配付情報を転送する第３処理と、センタから各拠点設備の電源を停止する第４処理と、配付対象機器からセンタの配付サーバに対して最新のＡＰ版数を問い合わせる第５処理と、配付対象機器からセンタの配付サーバに対してＮＡＳの電源状態を問い合わせる第６処理と、問い合わせを行った配付対象機器のある拠点設備のＮＡＳの電源を起動する第７処理と、接続数情報に１を加えると共に、ＮＡＳに格納されている配付情報を配付対象機器にダウンロードすると共に、ダウンロードされた配付対象機器のＡＰ版数に１を加える第８処理と、ダウンロードが終了した配付対象機器からセンタに対してダウンロード終了通知を送信する第９処理と、接続数情報から１を減じると共に、ダウンロード終了通知を送信した配付対象機器のある拠点設備の電源を停止する第１０処理と、を実行させるものである。
【発明の効果】
【００１２】
本発明によれば、配付サーバから各拠点のＮＡＳへ最新版の配付情報を予め登録しておき、配付対象機器から要求があったときのみ、拠点設備の電源を起動してＮＡＳから配付対象機器に対して配付情報を配付するようにしている。これにより、各拠点設備に担当者を常駐させることなく、各拠点設備の業務時間外の消費電力を低減することができる。
【図面の簡単な説明】
【００１３】
【図１】本発明の実施形態の情報配付システム全体の機能構成図である。
【図２】図１中の拠点情報テーブル１５及びクライアント情報テーブル２１ｂの例を示す図である。
【図３−１】図１中の配付情報登録機能１１の処理を示すフローチャートである。
【図３−２】図１中の配付情報登録機能１１の処理を示すフローチャートである。
【図４】図１中のＡＰ版数問合せ受信機能１２の処理を示すフローチャートである。
【図５】図１中のＮＡＳ電源起動依頼受信機能１３の処理を示すフローチャートである。
【図６】図１中の終了通知受信機能１４の処理を示すフローチャートである。
【図７】図１中のクライアント機能２１ａの処理を示すフローチャートである。
【図８】ファイル登録時の配付サーバ１から各ＮＡＳ２０へ配付情報をアップロードする状態遷移図である。
【図９−１】要求のあった配付対象機器に対して配付情報をダウンロードする状態遷移図である。
【図９−２】要求のあった配付対象機器に対して配付情報をダウンロードする状態遷移図である。
【発明を実施するための形態】
【００１４】
以下に本発明の実施形態について図面を参照しながら詳細に説明する。
（実施形態の構成）
図１は、実施形態の情報配付システム全体の機能構成図である。
【００１５】
本発明の情報配付システムは、センタに設置され、配付情報を配下の各拠点に配付する配付サーバ１と、配付情報の配付先の拠点設備２（２−１，２−２，・・・）と、を有し、配付サーバ１と拠点設備２（２−１，２−２，・・・）とがインターネット等の通信回線４を介してＬＡＮ（Local Area Network）３により相互に接続されて構成されている。ここで、配付情報は、情報配付システムのシステム管理者が配下の各拠点設備に属する配付対象機器２１，２２，・・・に対して配付する情報であり、例えば、配付対象機器２１，２２，・・・にシステム管理者がダウンロードしたいと考える最新版のアプリケーションソフトウェア（以下「ＡＰ」という。）等である。
【００１６】
配付サーバ１は、配付情報登録機能１１、ＡＰ版数問合せ受信機能１２、ＮＡＳ電源起動依頼受信機能１３、及び終了通知受信機能１４を有するサーバアプリケーション１０と、拠点情報テーブル１５とを備えている。
【００１７】
一方、各拠点設備２は、配付サーバ１からの配付情報を受け取ってＮＡＳ２０に保存すると共にＮＡＳ２０の配下の配付対象機器、例えば、配付対象機器２１からの要求により配付対象機器２１に配付情報をダウンロードする機能を有するＮＡＳ２０と、各拠点設備のＮＡＳ２０に配付情報を制御される配付対象機器２１，２２，・・・を有している。配付対象機器２１は、クライアント機能２１ａを有するクライアントアプリケーションと、クライアント情報テーブル２１ｂとを有している。
【００１８】
配付サーバ１内のサーバアプリケーション１０において、配付情報登録機能１１は、システム管理者が配付情報を格納した配付ファイルを配付サーバ１内の図示しない記憶領域に登録する機能である。ＡＰ版数問合せ受信機能１２は、拠点設備２からの現在ダウンロードされているＡＰ版数の問合せを受信する機能である。ＮＡＳ電源起動依頼受信機能１３は、拠点設備２からのＮＡＳ電源起動の依頼を受信する機能である。更に、終了通知受信機能１４は、拠点設備２からの終了通知を受信する機能である。
【００１９】
図２（ａ）は、図１中の拠点情報テーブル１５の例を示す図であり、図２（ｂ）は、図１中のクライアント情報テーブル２１ｂの例を示す図である。
【００２０】
図２（ａ）に示された拠点情報テーブル１５は、情報配付システム全体の状態を管理するテーブルである。配付サーバ１は、配付サーバ１に接続されている拠点設備毎に付与された識別符号である拠点ＩＤ（Identification）毎の拠点情報テーブル１５を有している。例えば、配付サーバ１に５箇所の拠点設備が接続されている場合には、配付サーバ１は、５箇所の拠点設備毎に付与された拠点ＩＤ毎の拠点情報テーブル１５を有している。
【００２１】
拠点情報テーブル１５には、拠点を表す拠点ＩＤと、各拠点のＮＡＳ２０のＩＰアドレスと、各拠点における最新のＡＰ版数と、各拠点のＮＡＳ２０の電源状態を表すＮＡＳ電源フラグと、各拠点のＮＡＳ２０からダウンロード中の配付対象機器数を表す接続数と、配付サーバ１からＮＡＳ２０へのファイル登録中状態をＯＮ／ＯＦＦで表すファイル登録中フラグと、が各拠点設備の拠点ＩＤ毎に格納されている。
【００２２】
図２（ｂ）に示されたクライアント情報テーブル２１ｂは、自らの配属や現在保持している配付情報の版数等を管理するテーブルであり、配付対象機器２１が設定されている拠点を表す拠点ＩＤと、ダウンロード要求先となるＮＡＳ２０のＮＡＳＩＰアドレスと、接続先となる配付サーバ１の配付サーバＩＰアドレスと、直近でダウンロードされたＡＰ版数を表す保持版数と、を格納している。図１中の各拠点設備内の配付対象機器２１，２２，・・・は、図２（ｂ）に示されたようなクライアント情報テーブル２１ｂ，２２ｂ，・・・を各々有している。
【００２３】
（実施形態の動作）
本発明の実施形態の情報配付システムの動作について、（Ｉ）各機能の処理と、（II）ファイル登録時の情報配付システムの状態遷移と、(III)ダウンロード時の情報配付システムの状態遷移と、に分けて説明する。
【００２４】
（Ｉ）各機能の処理
図３−１，図３−２は、図１中の配付情報登録機能１１の処理を示すフローチャートである。
【００２５】
先ず、図１及び図２を参照しつつ、図３−１，図３−２に示されたフローチャートに沿って、図１中の配付情報登録機能１１の処理について説明する。
【００２６】
図３−１において、処理が開始されると、ステップＳ１へ進み、ステップＳ１において、配付サーバ１は、拠点情報テーブル１５より「拠点ＩＤ」一覧を取得し、ステップＳ２へ進む。ステップＳ２において、配付サーバ１は、後述するステップＳ３〜Ｓ１３の処理を拠点ＩＤ数分実施する。
【００２７】
ステップＳ３において、配付サーバ１は、拠点情報テーブル１５における対象の拠点ＩＤの［ファイル登録フラグ］を“ＯＮ”とし、ステップＳ４へ進む。ステップＳ４において、配付サーバ１は、拠点情報テーブル１５における対象の拠点ＩＤの［ＮＡＳ電源フラグ］が“ＯＮ”であるか否かを判定し、“ＯＮ”でなければ（ＮＯ）、ステップＳ５へ進み、“ＯＮ”であれば（ＹＥＳ）、図３−２中のステップＳ８へ進む。
【００２８】
ステップＳ５において、配付サーバ１は、対象の拠点設備内のＮＡＳ２０に対して電源起動を指示し、ステップＳ６へ進む。ステップＳ６において、配付サーバ１は、対象の拠点設備内のＮＡＳ２０の電源起動が完了するまで電源起動状態を確認し、起動完了すると、ステップＳ７へ進む。ステップＳ７において、配付サーバ１は、拠点情報テーブル１５における対象の拠点ＩＤの［ＮＡＳ電源フラグ］を“ＯＮ”とし、図３−２中のステップＳ８へ進む。
【００２９】
図３−２中のステップＳ８において、配付サーバ１は、対象の拠点設備内のＮＡＳ２０へ配付情報のファイルをアップロードし、ステップＳ９へ進む。ステップＳ９において、配布サーバはアップロードの完了を判定し、完了しない場合は（ＮＯ）、ステップＳ８へ戻り、完了した場合（ＹＥＳ）、ステップＳ１０へ進む。ステップＳ１０において、配付サーバ１は、拠点情報テーブル１５における対象の拠点ＩＤの［ＡＰ版数］に１を加えた版数とし、ステップＳ１１へ進む。
【００３０】
ステップＳ１１において、配付サーバ１は、拠点情報テーブル１５の対象拠点ＩＤの［接続数］が、“０”であるか否かを判定し、“０”であるときは（ＹＥＳ）、ステップＳ１２へ進み、“０”でないときは、配布対象機器がＮＡＳ２０と接続中なので（ＮＯ）、ステップＳ１４へ進む。ステップＳ１２において、配付サーバ１は、対象の拠点設備内のＮＡＳ２０に対して電源停止を指示し、ステップＳ１３へ進む。ステップＳ１３において、配付サーバ１は、拠点情報テーブル１５の対象拠点ＩＤの［ＮＡＳ電源フラグ］を、“ＯＦＦ”にし、ステップＳ１４へ進む。
ステップＳ１４において、配付サーバ１は、拠点情報テーブル１５の対象拠点ＩＤの［ファイル登録中フラグ］を、“ＯＦＦ”にし、ステップＳ１５へ進む。Ｓ１５において、ステップＳ３〜Ｓ１４の処理が拠点ＩＤ数分実施されると、図１中の配付情報登録機能１１の処理は終了する。
【００３１】
図４は、図１中のＡＰ版数問合せ受信機能１２の処理を示すフローチャートである。
次に、図１及び図２を参照しつつ、図４に示されたフローチャートに沿って、図１中のＡＰ版数問合せ受信機能１２の処理について説明する。
【００３２】
ＡＰ版数問合せ受信機能１２の処理（ＡＰ版数問合せ受信処理）は、処理が開始されると、ステップＳ２１へ進み、ステップＳ２１において、配付サーバ１は、拠点設備２からＡＰ版数問合せ依頼を受信したかを判定し、受信するまで（ＮＯ）待って、ＡＰ版数問合せ依頼を受信すると（ＹＥＳ）、ステップＳ２２へ進む。ステップＳ２２において、配付サーバ１は、依頼元の［拠点ＩＤ］を取得し、ステップＳ２３へ進む。ステップＳ２３において、配付サーバ１は、拠点情報テーブル１５を参照して対象拠点ＩＤの［ＡＰ版数］を取得し、ステップＳ２４へ進む。ステップＳ２４において、配付サーバ１は、依頼元の拠点設備２へステップ２３で取得した［ＡＰ版数］を送信し、ステップＳ２１へ戻る。
【００３３】
図５は、図１中のＮＡＳ電源起動依頼受信機能１３の処理を示すフローチャートである。
次に、図１及び図２を参照しつつ、図５に示されたフローチャートに沿って、図１中のＮＡＳ電源起動依頼受信機能１３の処理について説明する。
【００３４】
処理が開始されると、ステップＳ３１へ進み、ステップＳ３１において、配付サーバ１は、拠点設備２からのＮＡＳ電源起動依頼が受信したかを判定し、受信するまで（ＮＯ）待って、受信すると（ＹＥＳ）、ステップＳ３２へ進む。ステップＳ３２において、配付サーバ１は、依頼元より［拠点ＩＤ］を取得し、ステップＳ３３へ進む。
【００３５】
ステップＳ３３において、配付サーバ１は、拠点情報テーブル１５を参照して対象の拠点ＩＤの［ＮＡＳ電源フラグ］が“ＯＮ”であるか否かを判定し、“ＯＮ”でなければ（ＮＯ）、ステップＳ３４に進み、“ＯＮ”であれば（ＹＥＳ）、ステップＳ３７へ進む。
【００３６】
ステップＳ３４において、配付サーバ１は、対象の拠点ＩＤの拠点設備２内のＮＡＳ２０に対して電源起動を指示し、ステップＳ３５へ進む。ステップＳ３５において、配付サーバ１は、対象の拠点ＩＤの拠点設備２内のＮＡＳ２０の電源起動が完了するまで、ＮＡＳ２０の電源起動状態を確認し、電源起動が完了すると、ステップＳ３６へ進む。ステップＳ３６において、配付サーバ１は、拠点情報テーブル１５の対象の拠点ＩＤの［ＮＡＳ電源フラグ］を“ＯＮ”とし、ステップＳ３７へ進む。
【００３７】
ステップＳ３７において、配付サーバ１は、拠点情報テーブル１５の対象の拠点ＩＤの［接続数］に１を加え、ステップＳ３８へ進む。ステップＳ３８において、配付サーバ１は、依頼元の拠点設備２に対し“起動済”を送信し、ステップＳ３１へ戻る。
【００３８】
図６は、図１中の終了通知受信機能１４の処理を示すフローチャートである。
次に、図１及び図２を参照しつつ、図６に示されたフローチャートに沿って、図１中の終了通知受信機能１４の処理について説明する。
【００３９】
処理が開始されると、ステップＳ４１へ進み、ステップＳ４１において、配付サーバ１は、拠点設備２からの終了通知を受信したかを判定し、受信するまで（ＮＯ）待って、受信すると（ＹＥＳ）、ステップＳ４２へ進む。ステップＳ４２において、配付サーバ１は、依頼元より「拠点ＩＤ」を取得し、ステップＳ４３へ進む。
【００４０】
ステップＳ４３において、配付サーバ１は、対象の拠点ＩＤの拠点情報テーブル１５中の［接続数］から１を減じた数とし、ステップＳ４４へ進む。ステップＳ４４において、配付サーバ１は、拠点情報テーブル１５を参照し、対象の拠点ＩＤの［接続数］が“０”であるか否かを判定し、“０”でなければ（ＮＯ）、ステップＳ４１へ戻り、“０”であれば（ＹＥＳ）、ステップＳ４５へ進む。
【００４１】
ステップＳ４５において、配付サーバ１は、拠点情報テーブル１５を参照し、対象の拠点ＩＤの［ファイル登録中フラグ］が“ＯＦＦ”であるか否かを判定し、“ＯＦＦ”でなければ（ＮＯ）、ステップＳ４１へ戻り、“ＯＦＦ”であれば（ＹＥＳ）、ステップＳ４６へ進む。
【００４２】
ステップＳ４６において、配付サーバ１は、対象の拠点ＩＤが属するＮＡＳ２０に対する電源停止を指示し、ステップＳ４７へ進む。ステップＳ４７において、配付サーバ１は、拠点情報テーブル１５の対象の拠点ＩＤの［ＮＡＳ電源フラグ］を“ＯＦＦ”とし、ステップＳ４１へ戻る。
【００４３】
図７は、図１中のクライアント機能２１ａの処理を示すフローチャートである。
最後に、図１及び図２を参照しつつ、図７に示されたフローチャートに沿って、図１中のクライアント機能２１ａの処理について説明する。
【００４４】
処理を開始すると、ステップＳ５１へ進み、ステップＳ５１において、例えば、配付対象機器２１は、所属拠点Ａの拠点ＩＤを付与して、ＡＰ版数の問い合わせを配付サーバ１に対して行い、ステップＳ５２へ進む。ステップＳ５２において、配付対象機器２１は、配付サーバ１より［ＡＰ版数］を受信すると、ステップＳ５３へ進む。
【００４５】
ステップＳ５３において、配付対象機器２１は、配付サーバ１より受信した［ＡＰ版数］が配付対象機器２１内のクライアント情報テーブル２１ｂに保存されている［保持版数］より大きいか否かを判定し、［保持版数］＜［ＡＰ版数］の場合は（ＹＥＳ）、ステップＳ５４へ進み、［保持版数］≧［ＡＰ版数］の場合は（ＮＯ）、クライアント機能２１ａの処理を終了する。
【００４６】
ステップＳ５４において、配付対象機器２１は、所属拠点Ａの拠点ＩＤを付与して、ＮＡＳ電源起動依頼を配付サーバ１に対して送信し、ステップＳ５５へ進む。ステップＳ５５において、配付対象機器２１は、配付サーバ１より“起動済”を受信すると、ステップＳ５６へ進む。配付対象機器２１は、所属拠点Ａ内のＮＡＳ２０から配付情報のダウンロードを受け、ステップＳ５７へ進む。
【００４７】
ステップＳ５７において、配付対象機器２１は、クライアント情報テーブル２１ｂ［保持版数］をステップＳ５２で配付サーバ１より受信した［ＡＰ版数］の値に更新し、ステップＳ５８へ進む。ステップＳ５８において、配付対象機器２１は、所属拠点Ａの拠点ＩＤを付与して、終了通知を配付サーバ１に対して送信し、クライアント機能２１ａの処理を終了する。
【００４８】
（II）ファイル登録時の情報配付システムの状態遷移
図８は、ファイル登録時の配付サーバ１から各ＮＡＳ２０へ配付情報をアップロードする状態遷移図である。
【００４９】
図１及び図２を参照しつつ、図８に示された状態遷移図に沿って、配付サーバ１から各拠点設備内のＮＡＳ２０への配付情報のアップロードについて説明する。
【００５０】
時刻ｔ１に、システム管理者が配付ファイルを配付サーバ１に登録すると、配付サーバ１に配付情報が格納される。配付サーバ１は、拠点情報テーブル１５を参照して、拠点ＩＤ毎のファイル登録中フラグを“ＯＮ”にし、ＮＡＳ電源フラグをチェックする。時刻ｔ３においてＮＡＳ２０の電源状態ＯＮとなる。ＮＡＳ電源フラグが“ＯＮ”の場合は、時刻ｔ４に、ＮＡＳ２０に配付情報をアップロードする。なお、アップロードは最新版をファイル転送し、前版等を上書きするものではない。ＮＡＳ電源フラグが“ＯＦＦ”の場合は、ＮＡＳ電源フラグが“ＯＮ”になるまで、配付サーバ１からＮＡＳ２０に対して電源起動の指示を行い、ＮＡＳ電源フラグが“ＯＮ”になったのを確認した後の時刻ｔ４に、配付サーバ１は、ＮＡＳ２０に配付情報をアップロードする。
【００５１】
その後、配付サーバ１は、拠点情報テーブル１５の対象の拠点ＩＤの［接続数］をチェックし、“１”以上の場合は、配布対象機器がＮＡＳ２０と接続中なので、拠点情報テーブル１５の対象の拠点ＩＤの［ファイル登録中フラグ］を“ＯＦＦ”にする。一方、拠点情報テーブル１５の対象の拠点ＩＤの［接続数］をチェックし、“０”の場合は、配布対象機器がＮＡＳ２０と１台も接続中でないので、配付サーバ１は、対象の拠点ＩＤのＮＡＳ２０に対してＮＡＳ電源停止を指示し、ＮＡＳ電源フラグを“ＯＦＦ”にし、その後、拠点情報テーブル１５の対象の拠点ＩＤの［ファイル登録中フラグ］を“ＯＦＦ”にする。
【００５２】
配付サーバ１からＮＡＳ電源停止の指示を受けたＮＡＳ２０は、時刻ｔ５から停止中の動作に移行し、時刻ｔ６以降は、電源ＯＦＦ状態となる。
【００５３】
図８に示された状態遷移図において、ＮＡＳ２０の電源状態に着目すると、時刻ｔ２以前及び時刻ｔ６以降は、電源ＯＦＦ状態である。更に、配付対象機器２１の電源状態は、常時、電源ＯＦＦ状態である。即ち、システム管理者が配付ファイルを配付サーバ１に登録し、ＮＡＳ２０に配付情報をアップロードする必要が生じたときのみ、ＮＡＳ２０の電源を起動するので、拠点設備の電源を常時起動しておく従来の情報配付システムに較べ、拠点設備の消費電力を大きく低減することができる。
【００５４】
(III) ダウンロード時の情報配付システムの状態遷移
図９−１，図９−２は、要求のあった配付対象機器に対してダウンロードする状態遷移図である。
【００５５】
図１及び図２を参照しつつ、図９−１，図９−２示された状態遷移図に沿って、配付対象機器２１からＮＡＳ２０への配付情報のダウンロードについて説明する。
【００５６】
図９−１中の時刻ｔ１１に、拠点の担当者が、配付対象機器２１の電源をＯＮすると、配布対象機器２１は、ＡＰ版数をセンタの配付サーバ１に問合せ、配付サーバ１は、問合せ元より拠点ＩＤを取得し、拠点情報テーブル１５を参照して対象の拠点ＩＤの［ＡＰ版数］を取得し、問合せ元の配付対象機器２１へ［ＡＰ版数］を送信する。
【００５７】
時刻ｔ１２に、配付サーバ１から［ＡＰ版数］を受信した配付対象機器２１は、受信した［ＡＰ版数］とクライアント情報テーブル２１ｂの［保持版数］とを比較し、［ＡＰ版数］＞［保持版数］の場合は、最新版ありと判断する。なお、［保持版数］≧［ＡＰ版数］の場合は、処理を終了する。
【００５８】
時刻ｔ１３に、配付対象機器２１は、配付サーバ１に対してＮＡＳ電源起動を依頼する。ＮＡＳ電源起動依頼を受信すると、配付サーバ１は、拠点情報テーブル１５を参照して、対象の拠点ＩＤの［ＮＡＳ電源フラグ］をチェックする。ＮＡＳ電源フラグが“ＯＮ”の場合は、時刻ｔ１６に、配付サーバ１は、配付対象機器２１に対して“起動済”を送信する。ＮＡＳ電源フラグが“ＯＦＦ”の場合は、ＮＡＳ電源フラグが“ＯＮ”になるまで、配付サーバ１からＮＡＳ２０に対して電源起動の指示を行い、ＮＡＳ電源フラグが“ＯＮ”になったのを確認した後の時刻ｔ１６に、配付サーバ１は、配付対象機器２１に対して“起動済”を送信する。
【００５９】
時刻ｔ１６に、“起動済”を受信した配付対象機器２１は、図９−２において、自らが属する拠点内のＮＡＳ２０に対して配付情報のダウンロードを要求し、ＮＡＳ２０に格納されている配付情報のダウンロードを実行する。なお、配布サーバからＮＡＳ２０へアップロード中の場合は、前版数の配布情報をダウンロードすることになる。
【００６０】
配付情報のダウンロードが終了すると、時刻ｔ１７に、配付対象機器２１は、配付サーバ１に終了通知を送信する。配付対象機器２１は、時刻ｔ１８に停止中に移行し、更に、時刻ｔ１９以降は、電源ＯＦＦ状態に移行する。
【００６１】
終了通知を受信した配付サーバ１は、拠点情報テーブル１５を参照して、対象の拠点ＩＤの［接続数］をチェックする。対象の拠点ＩＤの［接続数］が“０”であり、かつ対象の拠点ＩＤの［ファイル登録中フラグ］が“ＯＦＦ”であれば、配付サーバ１は、ＮＡＳ２０に対してＮＡＳ電源停止指示を送信する。
【００６２】
ＮＡＳ電源停止指示を受信したＮＡＳ２０は、時刻ｔ２０に停止中に移行し、更に、時刻ｔ２１以降は、電源ＯＦＦ状態に移行する。
【００６３】
図９−１及び図９−２に示された状態遷移図において、ＮＡＳ２０の電源状態に着目すると、時刻ｔ１４以前及び時刻ｔ２１以降は、電源ＯＦＦ状態である。更に、配付対象機器２１の電源状態は、時刻ｔ１９以降、電源ＯＦＦ状態である。即ち、拠点の担当者が、配付対象機器２１の電源をＯＮしてから配付サーバ１に対し、ＡＰ版数の問合せを行って、自らの属する拠点のＮＡＳ２０から配付情報のダウンロードが終了するまでの必要な時間を除き、ＮＡＳ２０及び配付対象機器２１の電源状態は、電源ＯＦＦ状態である。これにより、拠点設備の電源を常時起動しておく従来の情報配付システムに較べ、拠点設備の消費電力を大きく低減することができる。
【００６４】
なお、拠点の担当者が、配付対象機器２１の電源をＯＮするのは保守モードでの操作であっても良いし、定刻に自動電源ＯＮしても良い。
【００６５】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００６６】
１                            配付サーバ
２                            拠点設備
３                            ＬＡＮ
４                            インターネット
１１                            配付情報登録機能
１２                            ＡＰ版数問合せ受信機能
１３                            ＮＡＳ電源起動依頼受信機能
１４                            終了通知受信機能
１５                            拠点情報テーブル
２０                            ＮＡＳ
２１，２２，２３，・・・        配付対象機器
２１ａ                          クライアント機能
２１ｂ                          クライアント情報テーブル
【図１】
2015156061.tif 000003
【図３−１】
2015156061.tif 000004
【図３−２】
2015156061.tif 000005
【図４】
2015156061.tif 000006
【図５】
2015156061.tif 000007
【図６】
2015156061.tif 000008
【図７】
2015156061.tif 000009
【図２】
2015156061.tif 000010
【図８】
2015156061.tif 000011
【図９−１】
2015156061.tif 000012
【図９−２】
2015156061.tif 000013